(57)【要約】【課題】本発明は、空気調和装置における放電生成物発生手段４の放電生成物の発生量をより安定させることを目的とするものである。【解決手段】そしてこの目的を達成するために本発明は、第１の吸引口８は、送風手段６によって空気調和手段５へ送風される第１の気流における放電生成物発生ケース７の風上側底面に設けたことを特徴とし、風上側底面部に達した空気の一部は、誘引手段によって第１の吸引口８から放電生成物発生ケース７内に吸い込まれるが、この空気中の埃の一部は重力によって放電生成物発生ケース７の下方向へ流れ、第１の吸引口８から放電生成物発生ケース７内へ吸い込まれることを抑制することで、放電生成物発生手段４の放電生成物の発生量をより安定させることができる空気調和装置を得られるものである。【選択図】図１
2013195046.tif 000002
【特許請求の範囲】
【請求項１】
吸気口と排気口を有する本体ケースと、この本体ケース内に設けられた放電生成物発生手段と空気調和手段と、この空気調和手段に送風する送風手段とから構成し、前記放電生成物発生手段は、略箱形状の放電生成物発生ケースと、この放電生成物発生ケース内に設けられた放電生成物発生部と、前記放電生成物発生ケース内に空気を誘引する誘引手段とから形成し、前記放電生成物発生部は、放電電極と、この放電電極に対向して配置された対向電極と、これらの対向電極と放電電極間に高電圧を印加する高電圧印部とから形成し、前記放電生成物発生ケースは、第１の吸引口と連通口とを備え、前記誘引手段は、前記送風手段に設けた孔と、この孔と前記連通口とを連通する連通路とから構成し、前記誘引手段によって前記第１の吸引口から前記連通口を介して前記送風手段の前記孔へ流れる第２の気流を発生させる構成で、前記第１の吸引口は、前記送風手段によって前記空気調和手段へ送風される第１の気流における前記放電生成物発生ケースの底面に設けたことを特徴とする空気調和装置。
【請求項２】
前記第１の吸引口は、前記送風手段によって前記空気調和手段へ送風される第１の気流における前記放電生成物発生ケースの風上側底面に設けたことを特徴とする請求項１に記載の空気調和装置。
【請求項３】
前記連通口は、前記第１の気流における風下側の側面下部に位置すると共に、前記放電生成物発生部は、前記第１の吸引口および前記連通口より上方に構成された請求項１または２に記載の空気調和装置。
【請求項４】
前記放電生成物発生ケースは、前記第１の吸引口の下部に粉塵侵入抑制手段を設けことを特徴とする請求項１から３のいずれかに記載の空気調和装置。
【請求項５】
前記粉塵侵入抑制手段は、前記第１の吸引口の前記第１の気流における風下側周縁部から、下方であると共に前記第１の気流における風下側へ傾斜した傾斜部を有す構成とした請求項４に記載の空気調和装置。
【請求項６】
前記放電電極は、前記第１の気流における風下側の前記放電生成物発生ケースの側面である風下側側面部に対向し、この風下側側面部と前記放電電極との間に風路である放電電極対向風路を設け、前記誘引手段によって前記第１の吸引口から前記放電電極対向風路を介して前記連通口へ流れる第３の気流を発生することを特徴とする請求項１から５のいずれかに記載の空気調和装置。
【請求項７】
前記放電電極対向風路は、前記放電生成物発生ケースの上部と前記連通口とを連通することを特徴とする請求項６に記載の空気調和装置。
【請求項８】
前記放電生成物発生ケースの前記風下側側面部における前記放電生成物発生部の下部に第２の吸引口を設けたことを特徴とする請求項１から７のいずれかに記載の空気調和装置。
【発明の詳細な説明】
【技術分野】
【０００１】
本発明は、高電圧を印加することにより放電生成物を生成する放電生成物発生機能を有する空気調和装置に関する。
【背景技術】
【０００２】
空気調和装置は、例えば加湿、除湿、空気清浄等に活用され、更に、それに放電生成物発生機能が取り付けられたものがある。このような従来の空気調和装置の構成は以下のようになっていた。
【０００３】
すなわち、吸気口と排気口を有する本体ケースと、この本体ケース内に設けられた放電生成物発生手段と空気調和手段と、この空気調和手段に送風する送風手段とから構成し、前記放電生成物発生手段は、略箱形状の放電生成物発生ケースと、この放電生成物発生ケース内に設けられた放電生成物発生部と、前記放電生成物発生ケース内に空気を誘引する誘引手段とから形成し、前記放電生成物発生部は、放電電極と、この放電電極に対向して配置された対向電極と、これらの対向電極と放電電極間に高電圧を印加する高電圧印部とから形成し、前記放電生成物発生ケースは、第１の吸引口と連通口とを備え、前記誘引手段は、前記送風手段に設けた孔と、この孔と前記連通口とを連通する連通路とから構成し、前記誘引手段によって前記第１の吸引口から前記連通口を介して前記送風手段の前記孔へ流れる第２の気流を発生させる構成であった（例えば、特許文献１参照）。
【先行技術文献】
【特許文献】
【０００４】
【特許文献１】特開２０１１−１８３０１５号公報
【発明の概要】
【発明が解決しようとする課題】
【０００５】
上記従来例における課題は、空気調和装置における放電生成物発生手段からの放電生成物の発生量をより安定させるということであった。
【０００６】
すなわち、従来の物においては、対向電極と放電電極間に高電圧を印加することにより放電生成物発生物を生成していた。ここで、放電電極の先端に埃が付着すると、放電生成物発生の発生量にバラツキが発生するものである。
【０００７】
そこで本発明は、空気調和装置おける放電生成物発生手段の放電生成物の発生量をより安定させるということを目的とするものである。
【課題を解決するための手段】
【０００８】
そしてこの目的を達成するために本発明は、吸気口と排気口を有する本体ケースと、この本体ケース内に設けられた放電生成物発生手段と空気調和手段と、この空気調和手段に送風する送風手段とから構成し、前記放電生成物発生手段は、略箱形状の放電生成物発生ケースと、この放電生成物発生ケース内に設けられた放電生成物発生部と、前記放電生成物発生ケース内に空気を誘引する誘引手段とから形成し、前記放電生成物発生部は、放電電極と、この放電電極に対向して配置された対向電極と、これらの対向電極と放電電極間に高電圧を印加する高電圧印部とから形成し、前記放電生成物発生ケースは、第１の吸引口と連通口とを備え、前記誘引手段は、前記送風手段に設けた孔と、この孔と前記連通口とを連通する連通路とから構成し、前記誘引手段によって前記第１の吸引口から前記連通口を介して前記送風手段の前記孔へ流れる第２の気流を発生させる構成で、前記第１の吸引口は、前記送風手段によって前記空気調和手段へ送風される第１の気流における前記放電生成物発生ケースの底面に設けたことを特徴とするものである。
【０００９】
これにより初期の目的を達成するものである。
【発明の効果】
【００１０】
以上のように本発明は、空気調和装置おける放電生成物発生手段の放電生成物の発生量をより安定させることが出来るものである。
【００１１】
すなわち、吸気口と排気口を有する本体ケースと、この本体ケース内に設けられた放電生成物発生手段と空気調和手段と、この空気調和手段に送風する送風手段とから構成し、前記放電生成物発生手段は、略箱形状の放電生成物発生ケースと、この放電生成物発生ケース内に設けられた放電生成物発生部と、前記放電生成物発生ケース内に空気を誘引する誘引手段とから形成し、前記放電生成物発生部は、放電電極と、この放電電極に対向して配置された対向電極と、これらの対向電極と放電電極間に高電圧を印加する高電圧印部とから形成し、前記放電生成物発生ケースは、第１の吸引口と連通口とを備え、前記誘引手段は、前記送風手段に設けた孔と、この孔と前記連通口とを連通する連通路とから構成し、前記誘引手段によって前記第１の吸引口から前記連通口を介して前記送風手段の前記孔へ流れる第２の気流を発生させる構成で、前記第１の吸引口は、前記送風手段によって前記空気調和手段へ送風される第１の気流における前記放電生成物発生ケースの底面に設けたことを特徴とするものであり、空気調和装置おける放電生成物発生手段の放電生成物の発生量をより安定させることが出来るものである。
【００１２】
すなわち、誘引手段によって第１の吸引口から連通口を介して送風手段の前記孔へ流れる第２の気流を発生させる構成で、第１の吸引口は、送風手段によって空気調和手段へ送風される第１の気流における放電生成物発生ケースの底面に設けたのである。
【００１３】
以上の構成から、送風手段によって、本体ケースの吸気口から吸い込まれた空気は、空気調和手段へ送風される第１の気流となり、この第１の気流は、放電生成物発生ケースの底面部に達する。この底面部に達した空気の一部は、誘引手段によって第１の吸引口から放電生成物発生ケース内に吸い込まれるが、ここで、この空気中の埃の一部は重力によって放電生成物発生ケースの下方向へ流れ、第１の吸引口から放電生成物発生ケース内へ吸い込まれることが抑制される。
【００１４】
これらの結果により、放電電極の先端に埃が付着することが抑制され、空気調和装置おける放電生成物発生手段の放電生成物の発生量をより安定させることができる。
【図面の簡単な説明】
【００１５】
【図１】本発明の実施の形態１の除湿装置の断面概略図
【図２】同放電生成物発生ケース部を示す斜視図
【図３】同放電生成物発生ケース部を示す斜視図
【図４】同放電生成物発生カバー部を示す断面図
【図５】同放電生成物発生手段を示す概略図
【図６】本発明の実施形態２の断面概略図
【図７】同放電生成物発生ケース部を示す斜視図
【発明を実施するための形態】
【００１６】
（実施の形態１）
以下本発明の一実施形態を添付図面を用いて説明する。図１に示すように、本実施形態の空気調和装置は、吸気口２と排気口３を有する本体ケース１と、この本体ケース１内に設けられた放電生成物発生手段４と、空気調和手段５と、送風手段６とから構成している。
【００１７】
本体ケース１は、縦長箱形状で、背面側側面には、略四角形状の吸気口２を設け、天面には、横長四角形状の排気口３を備えている。吸気口２に対向して、送風手段６を備えている。この送風手段６と吸気口２との間には、吸気口２に対向して空気調和手段５を設けている。送風手段６によって、吸気口２から吸い込まれた空気が、空気調和手段５へ送風される。
【００１８】
この空気調和手段５と吸気口２との間には、放電生成物発生手段４を備えている。本体ケース１の天面の排気口３の近傍には、制御部と風量を変化させるスイッチ部を備えている。
【００１９】
空気調和手段５の一例は、除湿手段５ａである。この除湿手段５ａへ送風手段６によって、吸気口２から吸い込まれた空気が、除湿手段５ａへ送風される。この除湿手段５ａで除湿された空気が、排気口３より送風される。なお、空気調和手段５は、加湿手段、空気清浄手段でも良い。
【００２０】
送風手段６は、スクロール形状のケーシング部６ａと、このケーシング部６ａに固定されたモータ部６ｂと、このモータ部６ｂによって回転する羽根部６ｃとから形成している。ケーシング部６ａは、本体ケース１の吸気口２に対向した側面に、円形状の吸込口６ｄを備え、上面に、四角形状の吐出口６ｅを備えている。
【００２１】
制御部は、縦長箱形状の制御ケースと、この制御ケース内に設けた回路基板とから形成している。回路基板は、スイッチ部によって指定された風量に送風手段６を制御するものである。
【００２２】
放電生成物発生手段４は、図２から図４に示すように、放電生成物発生ケース７と、この放電生成物発生ケース内に設けられた放電生成物発生部１１と、この放電生成物発生部１１に対向する位置に設けられた吸音部１２と、放電生成物発生ケース７内に空気を誘引する誘引手段とから形成している。
【００２３】
放電生成物発生ケース７は、略縦長箱形状で、第１の吸引口８と、放電生成物発生部１１と、吸音部１２と、連通口９とを備えている。
【００２４】
第１の吸引口８は、送風手段６によって空気調和手段５へ送風される第１の気流における放電生成物発生ケース７の風上側の側面下部に設けた開口である。
【００２５】
吸音部１２は、放電生成物発生ケース７上部に位置し、放電生成物発生部１１と対向し、略円盤形状のスポンジ素材で中央部が開口したものである。吸音部１２は、放電生成物発生部１１と近接し、放電生成物発生ケース７内の略Ｕ字形状のリブにより保持されたものである。これにより、放電生成物発生部で発生した放電音を吸収するものである。
【００２６】
連通口９は、送風手段６によって空気調和手段５へ送風される第１の気流における放電生成物発生ケース７の風下側の側面に設けた開口である。
【００２７】
放電生成物発生部１１は、図５に示すように、放電電極１４と、この放電電極１４に対向して配置された対向電極１５と、これらの対向電極１５と放電電極１４間に高電圧（この実施形態では−５ＫＶ）を印加する電圧印加部１６と、放電電極１４を冷却する冷却部１７とから形成している。この冷却部１７は、この実施形態では、ペルチェ素子で、０．７５Ｖ〜２．８Ｖ程度の電圧を印加すると、放電電極１４側を低温にする。すなわち、この放電電極１４部分が冷却されることで、結露すると、マイナスに帯電した放電生成物の１例である帯電微粒子水が発生することになる。この帯電微粒子水によって脱臭できるものである。なお、電圧印加部１６は、放電電極１４より下方に位置するものである。
【００２８】
誘引手段は、図１に示すように、送風手段６のケーシング部６ａに設けた孔６ｆと、この孔６ｆと一方側が連通する筒形状の連通路１３と、この連通路１３の他方側と連通する放電生成物発生ケース７の連通口９である。
【００２９】
すなわち、モータ部６ｂにより回転する羽根部６ｃによって、ケーシング部６ａ内に気流が発生し、この気流によって、ケーシング部６ａに設けた孔６ｆに負圧が発生する。この負圧によって、送風手段６によって空気調和手段５へ送風される第１の気流の一部が、放電生成物発生ケース７の第１の吸引口８から吸い込まれ、放電生成物発生ケース７内へ誘引される。ここで、放電生成物発生ケース内の誘引された空気と共に、放電生成物発生部から発生する帯電微粒子水が、連通路１３を介して、ケーシング部６ａ内へ誘引される。このケーシング部６ａ内から、ケーシング部６ａの吐出口６ｅ、本体ケース１の排気口３から室内へ送風されるものである。
【００３０】
本実施形態における特徴は、放電生成物発生手段４である。放電生成物発生手段４は、略箱形状の放電生成物発生ケース７と、この放電生成物発生ケース７内に設けられた放電生成物発生部１１と、放電生成物発生ケース７内に空気を誘引する誘引手段とから形成している。ここで、誘引手段によって第１の吸引口８から連通口９を介して送風手段６の孔６ｆへ流れる第２の気流を発生させる構成で、第１の吸引口８は、送風手段６によって空気調和手段５へ送風される第１の気流における放電生成物発生ケース７の底面に設けたのである。
【００３１】
以上の構成から、送風手段６によって、本体ケース１の吸気口２から吸い込まれた空気は、空気調和手段５へ送風される第１の気流となり、この第１の気流は、放電生成物発生ケース７の底面部に達する。この底面部に達した空気の一部は、誘引手段によって第１の吸引口８から放電生成物発生ケース７内に吸い込まれるが、ここで、この空気中の埃の一部は重力によって放電生成物発生ケース７の下方向へ流れ、第１の吸引口８から放電生成物発生ケース内へ吸い込まれることが抑制される。
【００３２】
これらの結果により、放電電極１４の先端に埃が付着することが抑制され、空気調和装置おける放電生成物発生手段４の帯電微粒子水の発生量をより安定させることができる。
【００３３】
また、第１の吸引口８は、送風手段６によって空気調和手段５へ送風される第１の気流における放電生成物発生ケース７の風上側底面に設けたのである。これにより、放電生成物発生ケース７の風上側側面、つまり本体ケース１の吸気口２に対向した面に達した第１の気流の一部は、この面に沿って下方に流れ、この流れによって、埃も下方へ流れ易くなる。この流れが、第１の吸引口８の風上側で起るので、埃が第１の吸引口８から放電生成物発生ケース内へ吸い込まれることが更に抑制される。
【００３４】
連通口９は、第１の気流における風下側の側面下部に位置すると共に、放電生成物発生部１１は、第１の吸引口８および連通口９より上方に構成されたものである。放電生成物発生部１１は、第１の吸引口８および連通口９より上方に備えており、誘引手段によって第１の吸引口８から連通口９を介して送風手段６の孔６ｆへ流れる第２の気流は、放電生成物発生部１１より下方を流れるので、第１の吸引口８より侵入した微量の埃を放電生成物発生部１１に付着し難くし、放電電極１４の先端に結露する水の量が変化するのを低減し、帯電微粒子水の発生量にバラツキが発生するのを低減できる。
【００３５】
放電生成物発生ケース７は、第１の吸引口８の下部に粉塵侵入抑制手段を設けた構成にしてもよい。具体的には、塵侵入抑制手段は、第１の吸引口８の第１の気流における風下側周縁部から、下方であると共に第１の気流における風下側へ傾斜した傾斜部１８を有す構成にしてもよい。これにより、第１の気流上で、第１の吸引口８に達した埃が、第１の吸引口８下部の傾斜板に案内され、放電生成物発生ケース外へ送られるので、第１の吸引口８より埃が侵入するのを抑制し、放電電極１４の先端に結露する水の量が変化するのを低減し、マイナスに帯電した帯電微粒子水の発生量にバラツキが発生するのを低減できる。
【００３６】
（実施の形態２）
以下本発明の実施の形態２を添付図面を用いて説明する。実施の形態１と同様の構成要素については同一の符号を付し、その詳細な説明は省略する。
【００３７】
実施の形態１と相違する点は、図６に示すように、放電生成物発生ケース７において、第１の気流における風下側の側面である風下側側面部２２に対向し、この風下側側面部２２と放電電極との間に風路である放電電極対向風路１９を設け、誘引手段によって第１の吸引口８から放電電極対向風路１９を介して連通口９へ流れる第３の気流を発生することを特徴とした点である。
【００３８】
具体的には、本体ケース１の吸気口２から吸い込まれた空気は、空気調和手段５へ送風される第１の気流となり、放電生成物発生ケース７の風上側底面部に達する。この風上側底面部に達した空気の一部は、風下側の側面下部まで流れ、第１の吸引口８より侵入する。この侵入した空気は、放電電極１４を通過し、さらに略Ｕ字形状のリブにより保持された吸音部１２を通過し、風下側側面部２２に達した空気が風下側側面部２２を沿いながら風下側の側面下部の連通口９へと達する。すなわち、放電電極対向風路１９に沿って下降し、連通口９へ流れる第３の気流となる。この第３の気流に対して、放電電極１４から帯電微粒子水が、イオン風によって放出される。放出された帯電微粒子水は、第３の気流に乗って、ケーシング部６ａ内へ誘引され、ケーシング部６ａの吐出口６ｅ、本体ケース１の排気口３から室内へ送風されるものである。
【００３９】
すなわち、放電生成物発生ケース７内に発生する第３の気流により、放電電極１４で発生した帯電微粒子水が、下方向へ滞留する前に連通口９へ誘引されるものである。
【００４０】
放電電極対向風路１９は、放電生成物発生ケース７の上部と連通口９とを連通する構成にしてもよい。具体的には、吸音部１２は、放電生成物発生ケース７内の略Ｕ字形状のリブにより保持され、略Ｕ字形状のリブの連通口９側下方向を開口させたものである。これにより、第１の吸引口８より侵入した空気は、放電電極１４を通過し、さらに略Ｕ字形状のリブにより保持された吸音部１２を通過し、リブの連通口側下方向の開口部を通過し、側面下部の連通口９へと達する。すなわち、放電生成物発生ケース７内に発生する第３の気流により、放電電極１４で発生した帯電微粒子水が、下方向へ滞留する前に連通口９へ誘引されるものである。
【００４１】
放電生成物発生ケース７は、風下側側面部における放電生成物発生部１１の下部に第２の吸引口２１を設けた構成にしてもよい。具体的には、第２の吸引口２１は、放電生成物発生ケース７内の第１の気流における風下側の側面である風下側側面部側に位置したものである。これにより、第２の吸引口２１より侵入した空気が、放電電極１４、リブの連通口９側下方向の開口部２０を通過し、側面下部の連通口９へと達するので、侵入した微小な埃による影響を低減し、放電電極１４で発生した帯電微粒子水が、下方向へ滞留する前に連通口９へ誘引されるものである。
【産業上の利用可能性】
【００４２】
以上のように本発明は、空気調和装置おける放電生成物発生手段の放電生成物の発生量をより安定させることが出来るものである。
【００４３】
すなわち、吸気口と排気口を有する本体ケースと、この本体ケース内に設けられた放電生成物発生手段と空気調和手段と、この空気調和手段に送風する送風手段とから構成し、前記放電生成物発生手段は、略箱形状の放電生成物発生ケースと、この放電生成物発生ケース内に設けられた放電生成物発生部と、前記放電生成物発生ケース内に空気を誘引する誘引手段とから形成し、前記放電生成物発生部は、放電電極と、この放電電極に対向して配置された対向電極と、これらの対向電極と放電電極間に高電圧を印加する高電圧印部とから形成し、前記放電生成物発生ケースは、第１の吸引口と連通口とを備え、前記誘引手段は、前記送風手段に設けた孔と、この孔と前記連通口とを連通する連通路とから構成し、前記誘引手段によって前記第１の吸引口から前記連通口を介して前記送風手段の前記孔へ流れる第２の気流を発生させる構成で、前記第１の吸引口は、前記送風手段によって前記空気調和手段へ送風される第１の気流における前記放電生成物発生ケースの底面に設けたことを特徴とするものであり、空気調和装置おける放電生成物発生手段の放電生成物の発生量をより安定させることが出来るものである。
【００４４】
すなわち、誘引手段によって第１の吸引口から連通口を介して送風手段の前記孔へ流れる第２の気流を発生させる構成で、第１の吸引口は、送風手段によって空気調和手段へ送風される第１の気流における放電生成物発生ケースの底面に設けたのである。
【００４５】
以上の構成から、送風手段によって、本体ケースの吸気口から吸い込まれた空気は、空気調和手段へ送風される第１の気流となり、この第１の気流は、放電生成物発生ケースの底面部に達する。この底面部に達した空気の一部は、誘引手段によって第１の吸引口から放電生成物発生ケース内に吸い込まれるが、ここで、この空気中の埃の一部は重力によって放電生成物発生ケースの下方向へ流れ、第１の吸引口から放電生成物発生ケース内へ吸い込まれることが抑制される。
【００４６】
これらの結果により、放電電極の先端に埃が付着することが抑制され、空気調和装置おける放電生成物発生手段の放電生成物の発生量をより安定させることができる。
【００４７】
従って、家庭用や事務所用などの、空気調和装置として活用が期待されるものである。
【符号の説明】
【００４８】
１    本体ケース
２    吸気口
３    排気口
４    放電生成物発生手段
５    空気調和手段
５ａ  除湿手段
６    送風手段
６ａ  ケーシング部
６ｂ  モータ部
６ｃ  羽根部
６ｄ  吸込口
６ｅ  吐出口
６ｆ  孔
７    放電生成物発生ケース
８    第１の吸引口
９    連通口
１１  放電生成物発生部
１２  吸音部
１３  連通路
１４  放電電極
１５  対向電極
１６  電圧印加部
１７  冷却部
１８  傾斜部
１９  放電電極対向風路
２０  開口部
２１  第２の吸引口
２２  風下側側面部
【図１】
2013195046.tif 000003
【図２】
2013195046.tif 000004
【図３】
2013195046.tif 000005
【図４】
2013195046.tif 000006
【図５】
2013195046.tif 000007
【図６】
2013195046.tif 000008
【図７】
2013195046.tif 000009